(57)【要約】【課題】ハンドルの位置の制約がなくノイズレスデザインの実現が容易であり、戸体を開くための操作数が少なく、操作の容易性も確保される建具及び建具用のコントロールユニットを提供する。【解決手段】戸体３が閉じた状態において戸体３をロックするロック機構部６、７と、戸体をラッチするラッチ機構部８を備える。ロック機構部６、７とラッチ機構部８に操作装置を備える。操作装置は手動式操作装置１００と電動式操作装置１０２とを含む。ラッチ機構部８は、戸体３のロックが解除され、かつラッチされた状態において、戸体を開けようとする人の力を受けてラッチボルト３０が受け部材３１ｃを押した際に、受け部材３１ｃが変位してラッチボルト３０の保持が解除される。電動式操作装置１０２は、施解錠と、ラッチ及びラッチ解除を行なう。【選択図】図１８
2020056151.tif 000002
【特許請求の範囲】
【請求項１】
建物の開口部に設けられる枠体と、
前記枠体に対して開閉可能に取り付けられる戸体と、を備える建具であって、
デッドボルト及び前記デッドボルトを挿入するデッドストライクを有し、前記戸体が閉じた状態において戸体をロックするロック機構部と、
ラッチボルト及び前記ラッチボルトを挿入するラッチストライクを有し、前記戸体が閉じた状態で戸体をラッチするラッチ機構部と、
入力装置と、前記デッドボルト及び前記ラッチボルトを前記デッドストライク及び前記ラッチストライクに挿入及び離脱させるための電動モータと、前記入力装置からの信号を受付け、前記電動モータを制御するためのコントロールユニットと、を有する電動式操作装置とを備え、
前記ラッチストライクは、前記ラッチボルト保持用の受け部材を有し、
前記受け部材は、前記ラッチボルトから受ける力によって変位可能に前記ラッチストライクに取り付けられ、
前記ラッチ機構部は、前記ロック機構部によるロックが解除され、かつ前記ラッチ機構部により戸体をラッチした状態において、戸体を開けようとする人の力を受けて前記ラッチボルトが前記受け部材を押した際に、前記受け部材が変位して前記ラッチボルトの保持が解除される構成を有し、
前記入力装置から解錠のための信号を前記コントロールユニットが受信した場合、前記コントロールユニットは、前記電動モータを駆動して、前記デッドボルトを前記デッドストライクから離脱させる解錠と、前記ラッチボルトを前記ラッチストライクから離脱させるラッチ解除をする制御を行なう、建具。
【請求項２】
建物の開口部に設けられる枠体と、
前記枠体に対して開閉可能に取り付けられる戸体と、を備える建具であって、
デッドボルト及び前記デッドボルトを挿入するデッドストライクを有し、前記戸体が閉じた状態において戸体をロックするロック機構部と、
ラッチボルト及び前記ラッチボルトを挿入するラッチストライクを有し、前記戸体が閉じた状態で戸体をラッチするラッチ機構部と、
前記ロック機構部の前記デッドボルトと前記ラッチ機構部の前記ラッチボルトとを、伝達機構を介して操作するための共通の操作装置と、を備え、
前記操作装置は、手動式操作装置と、電動式操作装置とを含み、
前記電動式操作装置は、入力装置と、前記デッドボルト及び前記ラッチボルトを前記デッドストライク及び前記ラッチストライクに挿入及び離脱させるための電動モータと、入力装置からの信号を受付け、前記電動モータを制御するためのコントロールユニットを有し、
前記ラッチストライクは、前記ラッチボルト保持用の受け部材を有し、
前記受け部材は、前記ラッチボルトから受ける力によって変位可能に前記ラッチストライクに取り付けられ、
前記ラッチ機構部は、前記ロック機構部によるロックが解除され、かつ前記ラッチ機構部により戸体をラッチした状態において、戸体を開けようとする人の力を受けて前記ラッチボルトが前記受け部材を押した際に、前記受け部材が変位して前記ラッチボルトの保持が解除される構成を有し、
前記操作装置は、前記ロック機構部及び前記ラッチ機構部が操作されるための位置として、第１の操作位置、第２の操作位置及び第３の操作位置を有し、
前記第１の操作位置は、前記ラッチ機構部の前記ラッチボルトが前記ラッチストライクに係止状態で、かつ前記ロック機構部の前記デッドボルトが前記デッドストライクに係止状態となる位置であり、
前記第２の操作位置は前記ラッチ機構部の前記ラッチボルトが前記ラッチストライクに係止状態で、かつ前記ロック機構部の前記デッドボルトが前記デッドストライクに非係止状態となる位置であり、
前記第３の操作位置は前記ラッチ機構部の前記ラッチボルトが前記ラッチストライクに非係止状態で、かつ前記ロック機構部の前記デッドボルトが前記デッドストライクに非係止状態となる位置であり、
前記電動式操作装置は、前記入力装置からの解錠のための信号を受信すると、前記電動モータを駆動して、前記第３の操作位置に前記ラッチ機構部及び前記ロック機構部を操作するコントロールユニットを有する、建具。
【請求項３】
前記ロック機構部の前記デッドストライクと、前記ラッチ機構部の前記ラッチストライクとが前記戸体の戸先側に設けられ、
前記ロック機構部の前記デッドボルトを収容するためのデッド錠ケースと、前記ラッチ機構部の前記ラッチボルトを収容するラッチ錠ケースと、前記ロック機構部の前記デッドボルトと前記ラッチ機構部の前記ラッチボルトとを操作するための操作装置とが、前記枠体の縦枠に設けられる、請求項１又は２に記載の建具。
【請求項４】
前記建具は、前記枠体に固定された袖を更に備え、
前記ロック機構部の前記デッドストライクと、前記ラッチ機構部の前記ラッチストライクとが前記戸体の戸先側に設けられ、
前記ロック機構部の前記デッドボルトを収容するためのデッド錠ケースと、前記ラッチ機構部の前記ラッチボルトを収容するラッチ錠ケースと、前記ロック機構部の前記デッドボルトと前記ラッチ機構部の前記ラッチボルトとを操作するための操作装置とが、前記袖に設けられる、請求項１又は２に記載の建具。
【請求項５】
前記電動式操作装置は、さらにオートロック機構を備えると共に、前記オートロック機構がオートロック機能を発揮するか否かを選択するモード選択装置を備える、請求項１から４までのいずれかに記載の建具。
【請求項６】
デッドボルト及び前記デッドボルトを挿入するデッドストライクを有するロック機構部と、
ラッチボルト及び前記ラッチボルトを挿入するラッチストライクを有するラッチ機構部と、
前記デッドボルト及び前記ラッチボルトを移動させるための電動モータと、
を備え、
前記ラッチストライクは、前記ラッチボルト保持用の受け部材を有し、
前記受け部材は、前記ラッチボルトから受ける力によって変位可能に前記ラッチストライクに取り付けられ、
前記ラッチ機構部は、前記ロック機構部によるロックが解除され、かつ前記ラッチ機構部により戸体をラッチした状態において、戸体を開けようとする人の力を受けて前記ラッチボルトが前記受け部材を押した際に、前記受け部材が変位して前記ラッチボルトの保持が解除される構成を有する
建具用のコントロールユニットであって、
戸体が施錠されている状態の場合、戸体を解錠するための信号を受取ると、前記ロック機構部の前記デッドボルトが前記デッドストライクから離脱して解錠され、かつ、前記ラッチ機構部の前記ラッチボルトが前記ラッチストライクから離脱してラッチ解除されるように前記電動モータを駆動する制御が行なわれる、
建具用のコントロールユニット。
【請求項７】
デッドボルト及び前記デッドボルトを挿入するデッドストライクを有するロック機構部と、
ラッチボルト及び前記ラッチボルトを挿入するラッチストライクを有するラッチ機構部と、
前記デッドボルト及び前記ラッチボルトを移動させるための電動モータと、
を備え、
前記ラッチ機構部は、前記ロック機構部によるロックが解除され、かつ前記ラッチ機構部により戸体をラッチした状態において、戸体を開けようとする人の力を受けて前記ラッチボルトが前記受け部材を押した際に、前記受け部材が変位して前記ラッチボルトの保持が解除される構成を有する
建具用のコントロールユニットであって、
前記電動モータの動作モードとして、前記ラッチボルトを前記電動モータによって前記ラッチストライクに突没させるラッチ電動モードと、前記ラッチボルトを前記電動モータによって前記ラッチストライクに突没させないラッチ非電動モードとを備えると共に、
建具に設けられる前記ラッチ電動モードと前記ラッチ非電動モードの設定変更可能なラッチ動作モード選択スイッチと接続され、
前記ラッチ動作モード選択スイッチが前記ラッチ電動モードに設定されている場合、戸体が閉じた状態において、戸体を解錠するための信号を受取ると、前記電動モータに駆動電流を送り、前記ロック機構部の前記デッドボルトが前記デッドストライクから離脱する解錠と、前記ラッチ機構部の前記ラッチボルトが前記ラッチストライクから離脱するラッチ解除との制御が行なわれ、
前記ラッチ動作モード選択スイッチが前記ラッチ非電動モードに設定されている場合、戸体を解錠するための信号を受取ると、前記電動モータに駆動電流を送り、前記ロック機構部の前記デッドボルトが前記デッドストライクから離脱する解錠と、前記ラッチボルトは前記ラッチストライクから離脱しない非解除との制御が行なわれる、
建具用のコントロールユニット。
【請求項８】
前記建具に設けられる開閉状態を検知する開閉センサと接続され、
前記ラッチ機構部によるラッチが解除された状態において、前記開閉センサが戸体が開かれたことを検知した場合は、前記ラッチボルトが前記ラッチストライクと係止可能な位置へ復帰する制御が行なわれる、
請求項６又は請求項７に記載の建具用のコントロールユニット。
【請求項９】
前記建具に設けられる開閉状態を検知する開閉センサと接続され、
前記戸体が閉じたことを前記開閉センサが検知した場合に、前記ロック機構部の前記デッドボルトが前記デッドストライクに挿入されてオートロックする制御が行なわれる、
請求項６から請求項８のいずれか１項に記載の建具用のコントロールユニット。
【請求項１０】
戸体が閉じた時の動作モードとして、オートロックを行うオートロックモードと、オートロックを行わない非オートロックモードとを備えると共に、
前記建具に設けられ、前記オートロックモードと非オートロックモードのいずれかを選択可能なオートロック選択スイッチと接続され、
前記オートロック選択スイッチが前記オートロックモードに設定されている場合は、前記開閉センサが戸体の閉じ動作を検知した際に、前記デッドボルトが前記デッドストライクに挿入されてオートロックされる制御が行なわれ、
前記オートロック選択スイッチが前記非オートロックモードに設定されている場合は、前記開閉センサが戸体の閉じ動作を検知した際に、オートロックは行なわれない制御が行なわれる、
請求項６から９までのいずれか１項に記載の建具用のコントロールユニット。
【発明の詳細な説明】
【技術分野】
【０００１】
本発明は、建物の開口部に設置されるドア等の建具に係わり、特に戸体を枠体に固定するロック機構部およびラッチ機構部を有する建具及び建具用のコントロールユニットに関する。
【背景技術】
【０００２】
従来の建具として、特許文献１に記載のように、錠からなるロック機構部と、ラッチ機構部とを備え、戸体にラッチを収容するラッチ錠ケースと、そのラッチ錠ケースに取付けるハンドルを有するドアがある。このドアにおいては、ハンドルが操作されることによって、ラッチ機構部の係止が解除される。しかしこの特許文献１に記載のドアでは、操作のためのハンドルとラッチボルトとが連動してラッチが解除される構成であるため、ハンドルとラッチ錠ケースを近くに配置しなければならないというレイアウト上の制約が生じていた。
【０００３】
そこで特許文献２に記載のドアでは、ハンドルとは別にラッチ解除のため操作レバーを設けた。この特許文献２に記載のドアが施錠状態から開かれる際には、ロック機構部のロック解錠された後、ラッチ解除のため操作レバーが操作されてラッチが解除され、ドアが開くことができる状態になる。これによりラッチ機構部とドアのハンドルは近くに配置しなくてはならないという制約が生じず、デザインの自由度が向上した。
【先行技術文献】
【特許文献】
【０００４】
【特許文献１】特開２００３−３２８６１９号公報
【特許文献２】特開２０１７−１８００２７号公報
【発明の概要】
【発明が解決しようとする課題】
【０００５】
しかし、上述の特許文献２に記載のドアは、操作レバーがデザイン上のノイズとなることを防止して、ノイズレスデザインとするために、外部から見えないようにするカバーを設けなくてはならなかった。また、ドア（戸体）を施錠状態から開ける場合には、ロック（施錠）解除操作と、操作レバーによるラッチ解除操作と、ドアを押す又は引く操作という３段階の操作が必要であり、施錠状態からドアを開くまでの操作回数が多かった。
【０００６】
本発明は、上記問題点に鑑み、ハンドルの位置の制約がなくノイズレスデザインの実現が容易であり、戸体を開くための操作数が少なく、操作の容易性も確保される建具及び建具用のコントロールユニットを提供することを目的とする。
【課題を解決するための手段】
【０００７】
（１）本発明の建具は、建物の開口部に設けられる枠体と、前記枠体に対して開閉可能に取り付けられる戸体と、を備える建具であって、デッドボルト及び前記デッドボルトを挿入するデッドストライクを有し、前記戸体が閉じた状態において戸体をロックするロック機構部と、ラッチボルト及び前記ラッチボルトを挿入するラッチストライクを有し、前記戸体が閉じた状態で戸体をラッチするラッチ機構部と、入力装置と、前記デッドボルト及び前記ラッチボルトを前記デッドストライク及び前記ラッチストライクに挿入及び離脱させるための電動モータと、前記入力装置からの信号を受付け、前記電動モータを制御するためのコントロールユニットと、を有する電動式操作装置とを備え、前記ラッチストライクは、前記ラッチボルト保持用の受け部材を有し、前記受け部材は、前記ラッチボルトから受ける力によって変位可能に前記ラッチストライクに取り付けられ、前記ラッチ機構部は、前記ロック機構部によるロックが解除され、かつ前記ラッチ機構部により戸体をラッチした状態において、戸体を開けようとする人の力を受けて前記ラッチボルトが前記受け部材を押した際に、前記受け部材が変位して前記ラッチボルトの保持が解除される構成を有し、前記入力装置から解錠のための信号を前記コントロールユニットが受信した場合、前記コントロールユニットは、前記電動モータを駆動して、前記デッドボルトを前記デッドストライクから離脱させる解錠と、前記ラッチボルトを前記ラッチストライクから離脱させるラッチ解除をする制御を行なう。
【０００８】
本発明において、戸体をラッチするとは、ラッチ機構部において、ラッチボルトがラッチストライクに係止されることを意味する。戸体をロックするとは、ロック機構部において、デッドボルトがデッドストライクに係止されることによって建具が施錠されることを意味する。なお、建具においては、枠体に固定された袖を設けてもよい。
【０００９】
本発明において、入力装置は外部からの操作又は情報を取込むための装置であって、例えば建具に設けられ、人からの操作を受け付けるための施錠又は解錠のためのスイッチが含まれる。建具がリモコンにより操作される場合には、建具のリモコンからの信号を受付ける入力部が入力装置に含まれる。生体認証において、カメラなど外部の情報を読取る読取装置がある場合にはその読取装置も含まれる。指紋認証であれば、指紋を読込むための読込み装置が、ＩＣカードでＩＤ認証する場合には、読取装置としてのＩＣカードを読込むＩＣカードリーダが入力装置に含まれる。
【００１０】
このように、本発明の建具は、ラッチストライクは、ラッチボルト保持用の受け部材を有し、受け部材は、ラッチボルトから受ける力によって変位可能にラッチストライクに取り付けられる。また、ロック機構部によるロックが解除され、かつ前記ラッチ機構部によりラッチされた状態において、手動操作により戸体を開けようとする人の力がラッチボルトを介して受け部材を作用した際に、受け部材が変位してラッチボルトの保持が解除されるものである。このため、戸体のロック状態から戸体を開く際には、ロック解除を行なう操作と、戸体を押す又は引く操作という２段階操作で済み、ラッチ解除のためのハンドル及び操作レバー等が不要となるので、戸体のデザインの自由度が上がり、ノイズレスデザインの実現が容易となる。また、人が手によって持つハンドル等の部品又は部分を戸体に設ける場合であっても、ラッチ錠ケース位置によって制約されずに配置できるため、様々な位置に様々な材質、サイズ及び形状のハンドル等の部品または部分を設けることが可能となり、戸体のデザインの自由度を向上させることができる。
【００１１】
一方、電動式操作装置により操作する際には、戸体の開き操作のための解錠操作において、前記ラッチ機構部及び前記ロック機構部を同時に解除するため、ラッチストライクの受け部材を戸体を開くための位置に変位させるための人力が不要となり、操作性が向上する。また、受け部材が回動しないため戸体開閉に伴う騒音を低減できる。
【００１２】
（２）また、本発明の建具は、建物の開口部に設けられる枠体と、前記枠体に対して開閉可能に取り付けられる戸体と、を備える建具であって、デッドボルト及び前記デッドボルトを挿入するデッドストライクを有し、前記戸体が閉じた状態において戸体をロックするロック機構部と、ラッチボルト及び前記ラッチボルトを挿入するラッチストライクを有し、前記戸体が閉じた状態で戸体をラッチするラッチ機構部と、前記ロック機構部の前記デッドボルトと前記ラッチ機構部の前記ラッチボルトとを、伝達機構を介して操作するための共通の操作装置と、を備え、前記操作装置は、手動式操作装置と、電動式操作装置とを含み、前記電動式操作装置は、入力装置と、前記デッドボルト及び前記ラッチボルトを前記デッドストライク及び前記ラッチストライクに挿入及び離脱させるための電動モータと、入力装置からの信号を受付け、前記電動モータを制御するためのコントロールユニットを有し、前記ラッチストライクは、前記ラッチボルト保持用の受け部材を有し、前記受け部材は、前記ラッチボルトから受ける力によって変位可能に前記ラッチストライクに取り付けられ、前記ラッチ機構部は、前記ロック機構部によるロックが解除され、かつ前記ラッチ機構部により戸体をラッチした状態において、戸体を開けようとする人の力を受けて前記ラッチボルトが前記受け部材を押した際に、前記受け部材が変位して前記ラッチボルトの保持が解除される構成を有し、前記操作装置は、前記ロック機構部及び前記ラッチ機構部が操作されるための位置として、第１の操作位置、第２の操作位置及び第３の操作位置を有し、前記第１の操作位置は、前記ラッチ機構部の前記ラッチボルトが前記ラッチストライクに係止状態で、かつ前記ロック機構部の前記デッドボルトが前記デッドストライクに係止状態となる位置であり、前記第２の操作位置は前記ラッチ機構部の前記ラッチボルトが前記ラッチストライクに係止状態で、かつ前記ロック機構部の前記デッドボルトが前記デッドストライクに非係止状態となる位置であり、前記第３の操作位置は前記ラッチ機構部の前記ラッチボルトが前記ラッチストライクに非係止状態で、かつ前記ロック機構部の前記デッドボルトが前記デッドストライクに非係止状態となる位置であり、前記電動式操作装置は、前記入力装置からの解錠のための信号を受信すると、前記電動モータを駆動して、前記第３の操作位置に前記ラッチ機構部及び前記ロック機構部を操作するコントロールユニットを有するものとしてもよい。
【００１３】
このように、電動式操作装置により操作する際には、戸体の開き操作において、前記第３の操作位置に前記ラッチ機構部及び前記ロック機構部を操作するため、ラッチストライクの受け部材を戸体を開くための位置に変位させるための人力が不要となり、操作性が向上する。また、戸体を人力により開く場合のラッチストライクの受け部材の動作に伴う音が低減される。
【００１４】
また、前記ロック機構部の前記デッドボルトと前記ラッチ機構部の前記ラッチボルトを動かす力を伝達させるための共通の伝達機構と共通の操作装置を備える。このため、１つの操作力でデッドボルト及びラッチボルトを操作することができ、操作が容易となる。
【００１５】
また、本発明において、前記操作装置は、その操作位置として、第１の操作位置、第２の操作位置及び第３の操作位置を有し、前記第１の操作位置は、前記ラッチ機構部の前記ラッチボルトが前記ラッチストライクに係止状態で、かつ前記ロック機構部の前記デッドボルトが前記デッドストライクに係止状態となる位置であり、前記第２の操作位置は前記ラッチ機構部の前記ラッチボルトが前記ラッチストライクに係止状態で、かつ前記ロック機構部の前記デッドボルトが前記デッドストライクに非係止状態となる位置であり、前記第３の操作位置は前記ラッチ機構部の前記ラッチボルトが前記ラッチストライクに非係止状態で、かつ前記ロック機構部の前記デッドボルトが前記デッドストライクに非係止状態となる位置である。このため、ロック機構部及びラッチ機構部の操作位置として、第３の操作位置を設けたことによって、手動操作において前記受け部材が不具合によって変位しなくなった場合であっても、ラッチボルトがラッチストライクに非係止となることができるため、係止を解除することができ、建具が開けられる状態にすることができる。
【００１６】
（３）上述した本発明の建具において、前記ロック機構部の前記デッドストライクと、前記ラッチ機構部の前記ラッチストライクとが前記戸体の戸先側に設けられ、前記ロック機構部の前記デッドボルトを収容するためのデッド錠ケースと、前記ラッチ機構部の前記ラッチボルトを収容するラッチ錠ケースとが前記枠体の縦枠に設けられることが好ましい。この態様によれば、係止及び非係止状態を切り替える動作のために電動モータを使用する場合に、戸体に電気配線が不要となるため、部品点数が抑えられ、製造コストを抑えることができる。また、電動モータを使用する場合であっても、戸体には電動モータを設けないため、電動モータを備える建具と電動モータを備えない建具との間で、戸体のパーツの共用が可能となり、製造コストを抑えることが可能になる。
【００１７】
（４）上述した本発明の建具において、前記建具は、前記枠体に固定された袖を更に備え、前記ロック機構部の前記デッドストライクと、前記ラッチ機構部の前記ラッチストライクとが前記戸体の戸先側に設けられ、前記ロック機構部の前記デッドボルトを収容するためのデッド錠ケースと、前記ラッチ機構部の前記ラッチボルトを収容するラッチ錠ケースとが前記袖に設けられることが好ましい。この態様によれば、ロック状態と非ロック状態を切り替える動作のために電動モータを使用する場合に、戸体に電気配線を設けることが不要となるため、部品点数が抑えられ、製造コストを抑えることができる。また、電動モータを使用する場合であっても、戸体には電動モータを設けないため、電動モータを備える建具と電動モータを備えない建具の間で戸体のパーツの共用が可能となり、製造コストを抑えることが可能になる。更に建具をバージョンアップやグレードアップする場合に、枠を交換せずに、袖及び戸体だけを交換することが可能になるため、それらの導入コストを抑えることが可能になる。
【００１８】
（５）上述した本発明の建具において、前記電動式操作装置は、さらにオートロック機構を備えると共に、オートロック機能を発揮するか否かを選択するモード選択装置を備えることが好ましい。このようにオートロック機構とモード選択装置を備えることにより、使用者の好みや生活習慣等に適した戸体の開閉動作態様を選ぶことができる。
【００１９】
（６）本発明の建具用のコントロールユニットは、デッドボルト及び前記デッドボルトを挿入するデッドストライクを有するロック機構部と、ラッチボルト及び前記ラッチボルトを挿入するラッチストライクを有するラッチ機構部と、前記デッドボルト及び前記ラッチボルトを移動させるための電動モータと、を備え、前記ラッチストライクは、前記ラッチボルト保持用の受け部材を有し、前記受け部材は、前記ラッチボルトから受ける力によって変位可能に前記ラッチストライクに取り付けられ、前記ラッチ機構部は、前記ロック機構部によるロックが解除され、かつ前記ラッチ機構部により戸体をラッチした状態において、戸体を開けようとする人の力を受けて前記ラッチボルトが前記受け部材を押した際に、前記受け部材が変位して前記ラッチボルトの保持が解除される構成を有する建具用のコントロールユニットであって、戸体が施錠されている状態の場合、戸体を解錠するための信号を受取ると、前記ロック機構部の前記デッドボルトが前記デッドストライクから離脱して解錠され、かつ、前記ラッチ機構部の前記ラッチボルトが前記ラッチストライクから離脱してラッチ解除されるように前記電動モータを駆動する制御が行なわれるものである。
【００２０】
このように、解錠要求信号により解錠のみならずラッチ解除を行なうことにより、前述した可動の受け部材を有する場合は、ラッチ解除のための人力が不要となり、操作性が向上する。また、戸体開閉によってラッチストライクが動く際の音の発生を低減できる。
【００２１】
（７）また、本発明の建具用のコントロールユニットは、デッドボルト及び前記デッドボルトを挿入するデッドストライクを有するロック機構部と、ラッチボルト及び前記ラッチボルトを挿入するラッチストライクを有するラッチ機構部と、前記デッドボルト及び前記ラッチボルトを移動させるための電動モータと、を備え、前記ラッチ機構部は、前記ロック機構部によるロックが解除され、かつ前記ラッチ機構部により戸体をラッチした状態において、戸体を開けようとする人の力を受けて前記ラッチボルトが前記受け部材を押した際に、前記受け部材が変位して前記ラッチボルトの保持が解除される構成を有する建具用のコントロールユニットであって、前記電動モータの動作モードとして、前記ラッチボルトを前記電動モータによって前記ラッチストライクに突没させるラッチ電動モードと、前記ラッチボルトを前記電動モータによって前記ラッチストライクに突没させないラッチ非電動モードとを備えると共に、建具に設けられる前記ラッチ電動モードと前記ラッチ非電動モードの設定変更可能なラッチ動作モード選択スイッチと接続され、前記ラッチ動作モード選択スイッチが前記ラッチ電動モードに設定されている場合、戸体が閉じた状態において、戸体を解錠するための信号を受取ると、前記電動モータに駆動電流を送り、前記ロック機構部の前記デッドボルトが前記デッドストライクから離脱する解錠と、前記ラッチ機構部の前記ラッチボルトが前記ラッチストライクから離脱するラッチ解除との制御が行なわれ、前記ラッチ動作モード選択スイッチが前記ラッチ非電動モードに設定されている場合、戸体を解錠するための信号を受取ると、前記電動モータに駆動電流を送り、前記ロック機構部の前記デッドボルトが前記デッドストライクから離脱する解錠と、前記ラッチボルトは前記ラッチストライクから離脱しない非解除との制御が行なわれるものとしてもよい。
【００２２】
このように、ラッチ電動モードでは、戸体を解錠するための信号を受取ると、解錠とラッチ解除が同時に行われる。このため、前述した可動の受け部材を有する場合は、戸体を開ける際にラッチストライクの受け部材を戸体を開くための位置に変位させるための人力が不要となり、スムーズに戸体を開けることができる。また、ラッチ非電動モードでは、戸体を開く際にラッチストライクの受け部材を変位させラッチを解除する必要があるが、解錠時にラッチにより固定されているほうが好ましいというユーザーもいる点で利点がある。これら二つのモード設定を選ぶことができるようにしたため、ユーザーの好みやニーズに合わせて建具を動作させることができる。
【００２３】
（８）本発明の建具用のコントロールユニットは、前記建具に設けられる開閉状態を検知する開閉センサと接続され、前記ラッチ機構部によるラッチが解除された状態において、前記開閉センサが戸体が開かれたことを検知した場合は、前記ラッチボルトが前記ラッチストライクと係止可能な位置へ復帰する制御が行なわれるものとしてもよい。
【００２４】
このように、戸体が開かれた際にラッチボルトを復帰させるよう電動モータを動作させるため、一端ラッチ機構の前記ラッチボルトをラッチストライクから離脱させれている状態から、次に戸体が閉じたときに、ラッチボルトがラッチストライクと係止して風などでユーザーの意思に反して開かないようにすることが可能になる。
【００２５】
（９）本発明の建具用のコントロールユニットは前記建具に設けられる開閉状態を検知する開閉センサと接続され、前記戸体が閉じたことを前記開閉センサが検知した場合に、前記ロック機構部の前記デッドボルトが前記デッドストライクに挿入されてオートロックする制御が行なわれるものとしてもよい。
【００２６】
このように、オートロックさせる制御を行えば、外出時に施錠をし忘れることを防止するこができる。
【００２７】
（１０）本発明の建具用のコントロールユニットは戸体が閉じた時の動作モードとして、オートロックを行うオートロックモードと、オートロックを行わない非オートロックモードとを備えると共に、前記建具に設けられる前記オートロックモードと非オートロックモードのいずれかを選択可能なオートロック選択スイッチと接続され、前記オートロック選択スイッチが前記オートロックモードに設定されている場合は、開閉センサが戸体の閉じ動作を検知した際に、前記デッドボルトが前記デッドストライクに挿入されてオートロックされる制御が行なわれ、前記オートロック選択スイッチが前記非オートロックモードに設定されている場合は、前記開閉センサが戸体の閉じ動作を検知した際に、オートロックは行なわれない制御が行なわれるものとすることが好ましい。
【００２８】
このように、オートロックモードによりオートロックがされるよう制御すれば、外出時に施錠をし忘れることがない。しかしオートロックは引越し作業など何度も建具を通過してドアを開け閉めする際にいちいち解錠しなければならないので、不便と感じられる場合もある。また、室内側に開錠のための鍵やリモコンを置き忘れて外へでてしまわないように注意が必要であり、非オートロックのほうが好まれることも多い。したがって、オートロックモードと非オートロックモードを選択できるようにすることによって、ユーザーの好みやニーズに合わせて選択できる。
【図面の簡単な説明】
【００２９】
【図１】本発明の第１の実施形態の建具を室外側から見た正面図である。
【図２】本実施形態のロック機構部及びラッチ機構部を示す正面図である。
【図３】（Ａ）は本実施形態のデッドボルト及びラッチボルトの取り付け構造を示す正面図、（Ｂ）は（Ａ）の左側面図である。
【図４】（Ａ）は本実施形態のデッドストライク及びラッチストライクの取り付け構造を示す正面図、（Ｂ）は（Ａ）の右側面図である。
【図５】本実施形態のラッチ機構部および手動式操作装置を示す正面図である。
【図６】本実施形態における上下のロック機構部及びラッチ機構部の伝達機構を示す図である。
【図７】（Ａ）は本実施形態の上ロック機構部を示す正面図、（Ｂ）は（Ａ）の左側面図である。
【図８】本実施形態の上ロック機構部を拡大して示す側面図である。
【図９】（Ａ）は本実施形態の上ロック機構部のロッド錠ケースを示す正面図、（Ｂ）は上ロック機構部のデッドボルトを示す正面図、（Ｃ）は上ロック機構部のデッドボルトに接続される第２の伝達部材の上部を示す正面図、（Ｄ）は上ロック機構部のデッドボルトと第２の伝達部材とを接続するピンを示す正面図、（Ｅ）はそのピンの側面図である。
【図１０】（Ａ）は本実施形態の下ロック機構部を示す正面図、（Ｂ）は（Ａ）の左側面図である。
【図１１】本実施形態のラッチストライクをラッチボルト係止状態で示す横断面図である。
【図１２】（Ａ）は本実施形態のラッチストライクとラッチボルトとの係止構造を示す横断面図、（Ｂ）はこの係止構造において、戸体を閉じる際におけるラッチストライクとラッチボルトとの動きを示す横断面図、（Ｃ）及び（Ｄ）はこの係止構造において、戸体を開く際におけるラッチストライクとラッチボルトとの動きを示す横断面図である。
【図１３】本実施形態のシリンダユニットのセンター軸操作用の鍵孔の操作位置を示す図である。
【図１４】本実施形態において、デッドボルトとラッチボルトの係止状態を示すもので、（Ａ）はラッチ機構部のラッチボルトが係止状態でありかつロック機構部が係止状態となる第１の操作位置であり、（Ｂ）はラッチ機構部のラッチボルトが係止状態であり、かつロック機構部のデッドボルトが非係止状態となる第２の位置であり、（Ｃ）はラッチ機構部のラッチボルト及びロック機構部のデッドボルトが共に非係止状態となる第３の位置である。
【図１５】（Ａ）は本実施形態における電動式操作装置の概略構成を、手動式操作装置と共に、室外側から見て示す正面図、（Ｂ）は電動式操作装置に含まれる駆動ユニットの構成を示す図である。
【図１６】本実施形態における電動式操作装置を構成するコントロールユニットとその付属部品との概略構成を、室外側から見て示す正面図である。
【図１７】本実施形態における電動式操作装置を構成するコントロールユニットその付属部品との概略構成を、室内側から見て示す正面図である。
【図１８】本実施形態の装置構成を示すブロック図である。
【図１９】本実施形態において、手動式操作装置を用いて戸体を開閉する際の動作の流れを示すフローチャートである。
【図２０】本実施形態において、ＩＤ番号を用いて認証を行ない、かつオートロック機能をオフとした場合に、電動式操作装置を用いて、外出時に戸体を開く際の操作及び動作の流れを示すフローチャートである。
【図２１】本実施形態において、ＩＤ番号を用いて認証を行ない、かつオートロック機能をオンとした場合に、電動式操作装置を用いて、外出時に戸体を開く際の操作及び動作の流れを示すフローチャートである。
【図２２】本実施形態において、ＩＤ番号を用いて認証を行ない、かつオートロック機能をオフとした場合に、電動式操作装置を用いて、帰宅時に戸体を開く際の操作及び動作の流れを示すフローチャートである。
【図２３】本実施形態において、ＩＤ番号を用いて認証を行ない、かつオートロック機能をオンとした場合に、電動式操作装置を用いて、帰宅時に戸体を開く際の操作及び動作の流れを示すフローチャートである。
【図２４】本実施形態において、生体認証を行なう場合の装置構成を示すブロック図である。
【図２５】本実施形態において、生体認証を行ない、かつオートロック機能をオフとした場合に、電動式操作装置を用いて、外出時に戸体を開く際の操作及び動作の流れを示すフローチャートである。
【図２６】本実施形態において、生体認証を行ない、かつオートロック機能をオンとした場合に、電動式操作装置を用いて、外出時に戸体を開く際の操作及び動作の流れを示すフローチャートである。
【図２７】本実施形態において、生体認証を行ない、かつオートロック機能をオフとした場合に、電動式操作装置を用いて、帰宅時に戸体を開く際の操作及び動作の流れを示すフローチャートである。
【図２８】本実施形態において、生体認証を行ない、かつオートロック機能をオンとした場合に、電動式操作装置を用いて、帰宅時に戸体を開く際の操作及び動作の流れを示すフローチャートである。
【図２９】本実施形態において、ＩＤ番号を用いて認証を行ない、かつオートロック機能をオフとし、かつラッチ非電動モードである場合に、電動式操作装置を用いて、外出時に戸体を開く際の操作及び動作の流れを示すフローチャートである。
【図３０】本実施形態において、ＩＤ番号を用いて認証を行ない、かつオートロック機能をオンとし、かつラッチ非電動モードである場合に、電動式操作装置を用いて、外出時に戸体を開く際の操作及び動作の流れを示すフローチャートである。
【図３１】本実施形態において、リモコンに解錠のためのスイッチ及び施錠のためのスイッを設けた装置構成を示すブロック図である。
【図３２】本発明の他の実施形態の建具を室外側から見た正面図である。
【図３３】ＩＤ番号を用いて認証を行ない、かつオートロック機能をオフとした場合に、電動式操作装置を用いて、外出時に戸体を開く際の各要素の一連の動作とやりとりを時系列で示した図である。
【発明を実施するための形態】
【００３０】
＜建具及び手動式操作装置＞
図１は本発明の建具の第１の実施形態を示す。本実施形態の建具１は、一般住宅やビル等の建物の開口部に設置されるドアについて示す。すなわち、枠体２にドア本体である戸体３が開閉可能に取り付けられる。枠体２は、吊元側縦枠２ａと戸先側縦枠２ｂと、これらの縦枠２ａ、２ｂの間に不図示のねじ等により固定して設けられた上枠２ｃと下枠２ｄとからなる。枠体２の戸先側縦枠２ｂ側には、縦枠２ｂ、上枠２ｃ及び下枠２ｄに固定して袖４が、不図示のねじ等により固定して設けられる。
【００３１】
戸体３は、吊元側縦枠２ａ側に蝶番５あるいは枢着軸を中心として回動可能に、すなわち枠体２と袖４とで囲まれた領域を開閉するように開閉可能に取付けられる。本実施形態においては、戸体３は、室外側に開放される外開き式のものについて説明するが、本発明は室内側に開く内開き式のものにも適用可能なものである。
【００３２】
枠体２を構成する縦枠２ａ、縦枠２ｂ、上枠２ｃ及び下枠２ｄには、例えば金属合金製の押出形材や鋼板の折曲げ成形材等を用いることができる。また、戸体３には、左右の縦芯材３ａ及び３ｂと上下の横芯材３ｃ及び３ｄとを備え、これらの芯材３ａ〜３ｄの室内側、室外側に表面材３ｅを固定し、芯材３ａ〜３ｄ及び室内側、室外側表面材３ｅに囲まれた領域内に断熱材３ｆを設けたものを用いることができる。また、戸体３を構成する芯材３ａ〜３ｄには、金属製あるいは樹脂製の押出形材や折曲げ成形材等を用いることができる。袖４にも戸体３と同様の材料でなる縦芯材４ａ及び４ｂと横芯材４ｃ及び４ｄで組み、表裏面に表面材４ｅを設けた領域内に、断熱材４ｆを組み込んだものなどで構成することができる。しかしながら、本発明においては、枠体２、戸体３及び袖４は上述の材料、構造のものに限定されない。
【００３３】
図１に示すように、戸体３の戸先側を袖４、すなわち枠体２側に固定するため、上下に間隔を有して２箇所にロック機構部６及び７を設けている。また、上下のロック機構部６と７の間に、ラッチ機構部８を設けている。袖４には、ロック機構部６及び７とラッチ機構部８の電動式操作装置を構成する駆動ユニット８２、及び駆動ユニット８２の動作制御を行なうコントロールユニット８３が取り付けられている。
【００３４】
図２に示すように、上側のロック機構部６は、袖４に取り付けたデッドボルト１０と、戸体３側に取り付けたデッドストライク１１とを備える。デッドストライク１１は開口部１１ａ（図４（Ａ）参照）を有する箱状をなし、デッドボルト１０が開口部１１ａに挿入、離脱されることにより、ロック（施錠）とロック解除（解錠）がなされるものである。
【００３５】
下側のロック機構部７も同様に、袖４に取り付けたデッドボルト２０と、戸体３側に取り付けたデッドストライク２１とを備える。デッドストライク２１は片面に開口部２１ａ（図４（Ａ）参照）を有する箱状をなし、デッドボルト２０が開口部２１ａに挿入、離脱されることにより、ロック（施錠）とロック解除（解錠）がなされるものである。
【００３６】
ラッチ機構部８は、袖４に取り付けたラッチボルト３０と、戸体３側に取り付けたラッチストライク３１とを備える。このラッチストライク３１の構造については、図１２を参照して後述する。
【００３７】
図３（Ａ）及び（Ｂ）に示すように、デッドボルト１０及び２０はそれぞれデッド錠ケース１２及び２２に収容される。また、ラッチボルト３０は、ラッチ錠ケース３２に収容される。デッド錠ケース１２及び２２は、デッド錠ケース１２及び２２並びにラッチ錠ケース３２に共通の取付板４０に、ねじ等の固定具４１により固定される。共通の取付板４０は、袖４を構成する芯材４ａに、ねじ等の固定具４２により固定される。
【００３８】
図４（Ａ）及び（Ｂ）に示すように、デッドストライク１１及び２１並びにラッチストライク３１は、これらに共通の取付板４４と共に、ねじ等の固定具４５により、戸体３の袖４側芯材３ｂに固定される。
【００３９】
図５に示すように、ラッチ錠ケース３２には、シリンダユニット５０のシリンダ本体５１が不図示のねじ等により固定される。シリンダ本体５１の中心部には、鍵５３（図３（Ｂ）参照）を挿入可能な鍵孔５１ａを有し、鍵５３により回転可能なセンター軸５４が収容されている。センター軸５４には、デッドボルト１０及び２０を同時に駆動するためのピニオン５５が、センター軸５４と同心に取り付けられている。図３（Ｂ）に示すように、シリンダユニット５０の室内側に、センター軸５４を回動させて施錠、解錠するためのサムターン５７が取り付けられる。
【００４０】
図５に示すように、ラッチ錠ケース３２には、ラッチボルト３０が、ラッチ錠ケース３２から戸体３側に向けて突没可能に収容される。ラッチ錠ケース３２に設けたスプリング受け３６とラッチボルト３０との間に、ラッチボルト３０を押し出す方向の力を加える押圧スプリング３７が設けられる。
【００４１】
図５に示すように、センター軸５４には、ラッチボルト３０を操作するためのレバー５８が取り付けられている。このレバー５８は、その先端部がラッチボルト３０に設けた凹部３０ａ内に位置し、鍵５３（図３参照）やサムターン５７によりセンター軸５４を図５の時計回り方向に回すことにより、ラッチボルト３０を袖４内に没入させることができる。すなわち、鍵５３やサムターン５７の操作により、レバー５８がラッチボルト３０の凹部３０ａの図５における右側端部に当接してラッチボルト３０が押され、ラッチボルト３０が押圧スプリング３７のばね力に抗して袖４内に没入するように構成されている。ラッチ機構部８の鍵孔５１ａを有するシリンダ本体５１と、センター軸５４と、鍵５３と、サムターン５７はロック機構部６及び７とラッチ機構部８に対して共通の手動式操作装置１００を構成する。
【００４２】
図６に示すように、ピニオン５５には、第１の伝達部材１４及び２４の各歯列１４ａ及び２４ａがピニオン５５の外周の歯列と噛み合うように組み合わされる。第１の伝達部材１４及び２４には、それぞれ連結ピン１５及び２５により、第２の伝達部材１６及び２６が連結される。これらの第１の伝達部材１４及び２４、並びに第２の伝達部材１６及び２６は、ピニオン５５及び歯列１４ａ、２４ａと共に、センター軸５４を回動させる力をデッドボルト１０及び２０へ伝達する伝達部材であり、これらの部材により、ロック機構部６及び７とラッチ機構部８との共通の伝達機構１０１を構成する。第２の伝達部材１６の上端部と第２の伝達部材２６の下端部には、第２の伝達部材１６及び２６の力をそれぞれデッドボルト１０及び２０に力を伝達するピン６０及び６１（図７（Ａ）及び図１０（Ａ）参照）を挿入する長孔１６ａ及び２６ａが設けられている。
【００４３】
図７（Ａ）及び図７（Ｂ）並びに図８に示すように、デッド錠ケース１２は、片面が開口された矩形の箱状をなすケース本体１２ａと、そのケース本体１２ａの開口面にねじ１２ｂにより固定される蓋板１２ｃを備える。デッドボルト１０を回動可能に支持する軸１７が、デッド錠ケース１２の底板１２ｄと蓋板１２ｃとに両端を固定して取り付けられる。デッドボルト１０はデッド錠ケース１２および取付板４０に設けた開口部６２を通して突没可能である。
【００４４】
図９（Ｂ）に示すように、デッドボルト１０は第２の伝達部材１６の力をピン６０を介して受けるための溝１０ａを有している。図９（Ｄ）及び（Ｅ）に示すように、ピン６０は、その両端部６０ａの外径が中央側の部分６０ｂの外径より小さく形成されている。ピン６０の中央側の部分６０ｂの外径は第２の伝達部材１６の長孔１６ａの幅や、デッドボルト１０の溝１０ａの幅よりやや小さく形成されている。また、図８及び図９（Ａ）に示すように、デッド錠ケース１２の底板１２ｄと蓋板１２ｃには、ピン６０を移動可能に案内するためのガイド溝１２ｅが設けられている。これらのガイド溝１２ｅの幅はピン６０の両端部６０ａの外径よりやや大きく、ピン６０の中央側の部分６０ｂより狭く形成されている。
【００４５】
このため、ピン６０は、その中央側の部分６０ｂがデッドボルト１０の溝１０ａや第２の伝達部材１６の長孔１６ａに移動可能に嵌め込まれる。また、ピン６０の両端部６０ａは、デッド錠ケース１２の底板１２ｄ及び蓋板１２ｃのガイド溝１２ｅに移動可能に嵌め込まれてピン６０が取り付けられる。
【００４６】
図７（Ａ）に示すように、デッド錠ケース１２のケース本体１２ａ内に設けたスプリング受け１２ｆと、デッドボルト１０に設けたスプリング受け１０ｂとの間に、スプリング１２ｇが取り付けられている。このスプリング１２ｇは、デッドボルト１０が袖４から突出したロック位置と、デッドボルトが袖４内に没入したロック解除位置とにおいて、デッドボルト１０をそれぞれ安定して保持するものである。
【００４７】
図１０（Ａ）及び（Ｂ）に示すように、下側のロック機構部７は、上側のロック機構部６と上下対象形に構成される。すなわち、デッドボルト２０を収容するデッド錠ケース２２は、底板２２ｄを有する片面開口のケース本体２２ａと、ケース本体２２ａの開口面を塞ぐように、ねじ等の固定具２２ｂにより取り付けられた蓋板２２ｃとからなる。デッドボルト２０は、デッドボルト１０と上下逆向きにして、ケース本体２２ａに設けた軸２７を中心として、回動可能に取り付けられる。
【００４８】
第２の伝達部材２６とデッドボルト２０とは、第２の伝達部材２６の下端部の長孔２６ａと、デッドボルト２０の溝２０ａに挿入されたピン６１により連結される。ピン６１の両端の小径部は、ケース本体２２ａの底板２２ｄおよび蓋板２２ｃに設けられたガイド溝２２ｅに移動可能に嵌めこまれる。デッドボルト２０は、ケース本体２２ａおよび取付板４０に設けた開口部６３を通してケース本体２２ａに対して突没可能に取り付けられる。ケース本体２２ａ内に設けたスプリング受け２２ｆと、デッドボルト２０に設けたスプリング受け２０ｂとの間に、スプリング２２ｇが取り付けられる。このスプリング２２ｇは、デッドボルト２０が、袖４から突出したロック位置と、袖４内に没入したロック解除位置とにおいて、デッドボルト２０をそれぞれ安定して保持するものである。
【００４９】
本実施形態の戸体３の操作及び動作を説明する。戸体３が閉じ、かつ施錠状態にある場合、図３（Ａ）、図５及び図６に示すように、第２の伝達部材１６は最下位置、第２の伝達部材２６は最上位置にある。この時、ロック機構部６及び７のデッドボルト１０及び２０が袖４から突出し、戸体３のデッドストライク１１及び２１内の納まった施錠状態にある。また、ラッチボルト３０がストライク３１における受け部材としてのストライク本体３１ｃに係止されたラッチ状態にある。
【００５０】
図３（Ａ）、図５及び図６の状態から、鍵５３またはサムターン５７を矢印７５方向、すなわち時計方向に回わすと、ピニオン５５と第１の伝達部材１４及び２４の各歯列１４ａ及び２４ａとの噛合により、第２の伝達部材１６は矢印７６に示すように上昇し、第２の伝達部材２６は矢印７７に示すように下降する。第２の伝達部材１６はピン６０によりデッドボルト１０と接続しているので、第２の伝達部材１６の上昇により、デッドボルト１０は矢印７８に示すように回動し、デッドストライク１１から離脱する。同時に、第２の伝達部材２６の下降により、デッドボルト２０は矢印７９に示すように回動し、デッドストライク２１から離脱する。このため、デッドボルト１０及び２０によるロックが解かれ、解錠される。また、センター軸５４の回動によりレバー５８も矢印７５の方向に回動し、ラッチボルト３０を矢印８０に示す方向に移動させる。これによりラッチボルト３０による施錠も解かれて解錠される。
【００５１】
室外側から施錠する際には、戸体３が解錠された状態から、上述と逆の操作及び動作がなされることにより、施錠がなされる。また、室内側からロック機構部６及び７の施錠及び解錠は、サムターン５７を回すことによって行なうことができる。
【００５２】
図１１に示すように、ラッチストライク３１は、ラッチボルト３０側に開口部３１ｆを設けたストライクケース３１ａを有する。ストライクケース３１ａ内に、縦軸３１ｂを中心に、ストライク本体３１ｃが水平回動可能に取り付けられる。このストライク本体３１ｃは、ラッチボルト３０を係止状態において保持する受け部材としての役目を果たすものである。このストライク本体３１ｃは水平断面形状が鈎状をなしており、ストライク本体３１ｃはストライクケース３１ａの開口部３１ｆから突没可能である。ストライク本体３１ｃは、ラッチボルト３０を係止する縦の平面からなる係止面３１ｇと、係止面３１ｇの反対側に形成された弧状面３１ｈとを有する。ストライク本体３１ｃは、縦軸３１ｂに巻かれたスプリング３１ｄにより、ストライク本体３１ｃがラッチボルト３０を係止可能な位置に回動する力を受ける。ストライク本体３１ｃの係止側への回動範囲は、ストライクケース３１ａに設けたストッパ３１ｅにより制限される。スプリング３１ｄは、ラッチボルト３０が戸体３側に突出したラッチ位置にあるときに、ストライク本体３１ｃでラッチボルト３０を係止する位置に付勢してラッチ状態を保持する付勢手段を構成する。
【００５３】
図１２（Ａ）に示すように、戸体３が閉じた状態においては、ラッチボルト３０はストライク本体３１ｃの係止面３１ｇにラッチボルト３０が当接して、ラッチボルト３０が係止された状態、すなわち戸体３の開きを阻む状態にある。
【００５４】
図１２（Ｂ）に示すように、戸体３が開いた状態から、矢印７０に示すように閉じる方向に回動する際には、ストライク本体３１ｃがストライクケース３１ａ内に設けられたストッパ３１ｅに当接した状態である。そしてストライク本体３１ｃの弧状面３１ｈがラッチボルト３０の傾斜面３０ｂに当接し、さらに戸体３が閉じると、ラッチボルト３０はスプリング３７の力に抗して矢印７１に示すように袖４内に没入する。その後、ストライク本体３１ｃがラッチボルト３０を超えると、図１２（Ａ）に示すように、スプリング３１ｄの力により、ストライク本体３１ｃが開口部３１ｆから突出する方向に復帰し、ストライク本体３１ｃがラッチボルト３０を係止する状態となる。
【００５５】
デッドボルト１０及び２０がそれぞれデッドストライク１１及び２１から離脱した解錠状態にあって、図１２（Ａ）に示すように、ラッチボルト３０がラッチ状態にあるときに、戸体３を開く際の動作は次の通りである。図１２（Ａ）に示すように、ストライク本体３１ｃがラッチボルト３０を係止した状態から、図１２（Ｃ）に矢印７２で示すように、戸体３にこれを開く方向の力を加えると、ストライク本体３１ｃは矢印７３で示すように回動する。すなわち、ストライク本体３１ｃは、ラッチボルト３０から受ける反力により、スプリング３１ｄの力に抗して矢印７３で示すように回動する。これにより、図１２（Ｄ）に示すように、ストライク本体３１ｃはラッチボルト３０から外れ、戸体３を開くことができる。ストライク本体３１ｃは、ラッチボルト３０から外れた後、スプリング３１ｄの力により、矢印７４に示すように回動してストッパ３１ｅに当接する原位置に復帰する。
【００５６】
このように、本実施形態におけるドアは、デッドボルト１０及びデッドボルト２０を連動する伝達機構と、ストライク本体３１ｃが変位してラッチを解除して戸体３を開くことができる構成としたため、戸体３のロック状態から戸体３を開く際には、サムターン５７によるロック解除を行なう操作と、戸体を押す（又は引く）操作という２段階操作ですみ、開き操作が簡単となる。また、ロック機構部６及び７によるロックを解除する操作以外に、ラッチ解除のための操作が不要となり、ラッチ解除専用のハンドルや操作レバーが不要となるため、デザインの自由度が上がり、ドアのノイズレスデザインの実現が容易となる。また、人が手によって持つハンドル等の部品又は部分を戸体に設ける場合であっても、ラッチ錠ケース位置によって制約されずに配置できるため、様々な位置及び形状の部品又は部分を設けることが可能となり、戸体のデザインの自由度を向上させることができる。
【００５７】
また、本実施形態においては、ロック機構部６及び７の各デッドボルト１０及び２０とラッチ機構部８を動かす力を伝達させるための伝達機構、すなわち第２の伝達部材１６及び２６、並びにピニオン５５と第１の伝達部材１４及び２４を備えている。さらにロック機構部６及び７の施錠及び解錠とラッチ機構部８とを連動させる伝達機構、すなわちセンター軸５４とラッチボルト３０とを連動させるレバー５８を含む伝達機構を備えている。このため、複数のデッドボルト１０及び２０、並びにラッチボルト３０を操作するための共通の操作部を備えることとなる。このため、１つの操作力でデッドボルト１０及び２０並びにラッチボルト３０を操作することができ、操作が容易となる。
【００５８】
図１４はデッドボルト１０及び２０とラッチボルト３０による係止状態の各段階における位置関係を示す図である。図１４（Ａ）はラッチ機構部８のラッチボルト３０がラッチストライク３１によって係止された状態であり、かつロック機構部６及び７のデッドボルト１０及び２０がそれぞれデッドストライク１１及び２１に係止された状態となる第１の操作位置である。この第1の操作位置は、図１３にＳ１で示すように、鍵孔５１ａの位置が反時計回り方向に最大限に回されることにより、センター軸５４が反時計回りに最大限に回された時の各機構部６、７及び８の構成部材の位置である。
【００５９】
図１３は本実施形態のシリンダユニットのセンター軸操作用の鍵孔５１ａの操作位置を示す図である。この図１３に示すとおり、鍵孔の操作位置として第１の操作位置Ｓ１、第２の操作位置Ｓ２及び第３の操作位置Ｓ３が設定されている。
【００６０】
図１４（Ｂ）はラッチ機構部８のラッチボルト３０がラッチストライク３１により係止された状態であり、かつロック機構部６及び７のデッドボルト１０及び２０がそれぞれデッドストライク１１及び２１に非係止状態となる第２の位置である。これは図１３にＳ２で示すように、鍵孔５１ａが第１の操作位置Ｓ１に示すように、第１の操作位置から時計回りに操作され、センター軸５４が時計回りに操作された位置である。
【００６１】
図１４（Ｃ）はラッチ機構部８のラッチボルト３０がラッチストライク３１による係止が解かれた状態であり、かつロック機構部６及び７のデッドボルト１０及び２０がそれぞれデッドストライク１１及び２１に非係止状態となる第３の位置である。これは図１３にＳ３で示すように、鍵孔５１ａの位置が時計回りに最大限に操作され、これによりセンター軸５４が時計回りに最大限の操作された位置である。このような第１ないし第３の位置の変更は、鍵５３又はサムターン５７の操作により行なわれる。
【００６２】
このように、本実施形態においては、ラッチストライク３１のストライク本体３１ｃを可動とし、ラッチ解除のための操作をしなくてもラッチ解除が可能としながらも、サムターン５７の操作位置として、図１４（Ｃ）に示すように、第３の位置、すなわちストライク本体３１ｃの位置に係わらず、ラッチ解除が可能な位置を設けている。このため、後述の電動式操作装置を使用せずに手動で動かしたい場合において、スプリング３１ｄの不具合等によってストライク本体３１ｃが変位しなくなった場合であっても、ラッチを解除することができる。すなわち、ストライク本体３１ｃがラッチボルト３０に係止する位置で動かない状態になったとしても、ラッチボルト３０をストライク本体３１ｃと係合しない位置に退避させることができる。
【００６３】
なお、鍵孔５１ａの操作位置Ｓ１，Ｓ２及びＳ３については、操作位置Ｓ１及び操作位置Ｓ２の間に、更に第４の操作位置を設けて、その第４の操作位置でなければ、鍵が抜けない構造としてもよい。
【００６４】
＜電動式操作装置＞
次に電動式操作装置について説明する。図１８に示すように、電動式操作装置１０２は、駆動ユニット８２とコントロールユニット８３とを備える。図１５（Ａ）に示すように、駆動ユニット８２とコントロールユニット８３は、袖４内に設けられる。リモコン１１０は電動式操作装置１０２のコントロールユニット８３に信号を送信する機器であり、スイッチ１１１と、ＩＤ出力部１１２と、送信部１１３とを有する。
【００６５】
駆動ユニット８２及びコントロールユニット８３は、図１６及び図１７にコントロールユニット８３について代表して示すように、袖４の戸体３側に設けられる取付板４０に、ねじ４１等により固定して取り付けられ、第２の伝達部材２６に設けた歯列２６ｂと噛合する。電動モータ８６から第２の伝達部材２６への力の伝達手段としては、例えば、電動モータ８６の側に減速装置を有し、減速装置の出力軸にピニオン８７を取り付けたものを用いることができる。さらに、電動モータ８６の減速装置の出力軸に設けた不図示のピニオンを図示のピニオン８７に噛合させたもの等を用いてもよい。
【００６６】
図１５（Ａ）に示すように、コントロールユニット８３は躯体側に設けられた不図示の電源にケーブル８４により接続される。電動モータ８６は、コントロールユニット８３とケーブル８５を介して接続される。
【００６７】
この構成により、コントロールユニット８３に加えられる施錠のための信号又は解錠のための信号によって電動モータ８６を正逆に回転させることにより、第２の伝達部材２６を上下動させ、施錠と解錠、並びにラッチ復帰とラッチ解除を行なうことができる。すなわち、第２の伝達部材２６の上下動は、図５に示した第１の伝達部材２４の歯列２４ａとピニオン５５との噛合と、ピニオン５５と第１の伝達部材１４の歯列１４ａとの噛合とを介して第２の伝達部材１６に伝達され、ロック機構部６、７における施錠及び解錠を行なうことができる。
【００６８】
例えば電動モータ８６によりピニオン８７を図６の矢印９０に示す方向に回動させると、第２の伝達部材２６及び第１の伝達部材２４が矢印７７に示すように下降し、これによりピニオン５５が矢印７５に示す時計回りに回動し、これに伴い第１の伝達部材１４及び第２の伝達部材１６が矢印７６に示すように上昇する。その結果、鍵孔５１ａが第２の操作位置Ｓ２を経て第３の操作位置Ｓ３まで操作されると、解錠及びラッチ解除がなされる。反対に、電動モータ８６の駆動により、ピニオン８７が矢印９０の反対方向に回動されると、施錠、ラッチ復帰の方向の動作がなされる。
【００６９】
図１８に示すように、コントロールユニット８３は、制御部８３Aと、モータ駆動部８３Bと、認証部８３Cとを備える。制御部８３Ａは、いずれも後述する施解錠スイッチ９１及び９４と、開閉センサ８８からの信号と、認証部８３Ｃからの信号により、モータ駆動部８３Ｂに制御信号を送るものである。なお、制御部８３Ａは、不図示のＣＰＵ、ＲＯＭ及びＲＡＭを備え、予め記憶されたプログラムによって入力信号に応じた信号を出力することが可能である。
【００７０】
選択スイッチユニット８９に備えられた第１のモード選択スイッチ８９Ａ及び第２のモード選択スイッチは、コントロールユニット８３の動作モードを切り替えるためのスイッチである。第１のモード選択スイッチ８９Ａは、ラッチ動作モード選択スイッチであり、第２のモード選択スイッチ８９Ｂはオートロック選択スイッチである。電動式操作装置１０２には、オートロック機構として、戸体３が閉じると自動的に施錠することができる機能が備えられる。コントロールユニット８３の制御部８３Ａには、不図示の記憶部があり、その記憶部に前記デッドボルト１０及び前記ラッチボルト３０をどのように移動させるかの動作モードが記憶されており、前記ラッチボルトを前記モータを回転させることによって突没させるラッチ電動モードと、前記ラッチボルトを前記モータの回転によって突没させないラッチ非電動モードがメモリーされ、これらのラッチ電動モードとラッチ非電動モードを、第１のモード選択スイッチ８９Ａが操作されてその信号を制御部８３Ａが受取ることにより、切替えることが可能である。また、制御部８３Ａの記憶部には、オートロックを行うオートロックモード及びオートロックを行わない非オートロックモードも記憶されている。これらオートロックモードと非オートロックモードを、第２のモード選択スイッチ８９Ｂが操作されてその信号を制御部８３Ａが受取ることにより、切替えることが可能である。即ち、本実施形態において、モード選択装置は第１のモード選択スイッチ８９Ａ及び第２のモード選択スイッチ８９Ｂであり、選択された動作モードはコントロールユニット８３の制御部８３Ａによってロードされ実行される。
【００７１】
ここで、第１のモード選択スイッチ８９Ａ及び第２のモード選択スイッチ８９Ｂは、レバーでもよいし、押しボタン式でもよい。また、モード選択スイッチを一つのボタンにして「ラッチ電動モードとラッチ非電動モード」及び「オートロックモードと非オートロックモード」を組み合わせると、１）「ラッチ電動モードかつ非オートロックモード」の第１モード、２）「ラッチ電動モードかつオートロックモード」第２モード、３）「ラッチ非電動モードかつ非オートロックモード」の第３モード、４）「ラッチ非電動モードかつオートロックモード」の第４モードを制御部８３Ａの記憶部に記憶しておき、モード選択スイッチとしてのボタンを押すごとに「第１のモード、第２のモード、第３のモード、第４のモード、第１のモード」と順番に繰り返すようにモードを切替えるようにしてもよい。
【００７２】
図１６及び図１７に示すように、各スイッチの操作部が袖４の戸体３側の面に露出するように設けられる。第１のモード選択スイッチ８９Ａ及び第２のモード選択スイッチ８９Ｂは袖４の室内側の面に設けてもよい。
【００７３】
モータ駆動部８３Ｂは、制御部８３Ａからの制御信号により、電動モータ８６を駆動する電流の方向及びオンオフを制御することにより、電動モータ８６の駆動、停止及び回転方向を制御する。
【００７４】
認証部８３Ｃは、リモコン１１０からの信号を入力するための認証用入力部９６と、認証用判定部９８とにより構成される。本実施形態では、無線信号を用いたリモートコントロール装置を用いる。リモコン１１０は、コントロールユニット８３へリモコン信号を送信する送信部１１３と、リモコン信号を送信する操作を受付けるためのリモコンスイッチ１１１と、ＩＤ信号を送信部１１３に送るＩＤ出力部１１２を備える。リモコンスイッチ１１１が操作されると、ＩＤ出力部おいて記憶又は生成されたＩＤ信号が送信部１１３に送信され、送信部１１３はＩＤ信号を含めたリモコン信号を認証用入力部９６に送信する。そして、リモコン信号を認証用入力部９６が受信し、リモコン信号に含まれるＩＤ信号が適合するかを認証用判定部９８で判定する。なお、入力装置には、認証用入力部９６と後述の施解錠スイッチ９１及び９４が含まれる。
【００７５】
電動式操作装置１０２の動作制御を行なうため、戸体３が開いた状態にあるか否かを検出する開閉センサ８８を備える。この開閉センサ８８は、図１６及び図１７に示すように、袖４の戸体３側先端部の室外側の面に設けられる。この開閉センサ８８は、袖４と戸体３と間の間隔が開くことにより、戸体３が開いたことを検知するものである。開閉センサ８８は、磁石や磁性体を磁気的あるいは電磁気的に検出する近接スイッチや、光学センサ、又は戸体３が閉じることにより接点が閉じるスイッチ等を用いることができる。この開閉センサ８８はコントロールユニット８３の制御部８３Ａに接続される。
【００７６】
図１６に示すように、袖４の室外側の面に、電動モータ８６の駆動により施錠、または解錠するための施解錠スイッチ９１が設けられる。図１７に示すように、袖４の室内側の面に、電動モータ８６により施錠、または解錠するための施解錠スイッチ９４が設けられる。
【００７７】
図１９は本実施形態において、第２のモード選択スイッチ８９Ｂにより非オートロック機能をオフとした非オートロックモードにあるときであって、閉扉でかつ無施錠の状態（ステップ２００）において、戸体３を開閉する際の操作及び動作の流れを示すフローチャートである。この閉扉でかつ無施錠の状態は、戸体３を所定の力で仮止して閉じておくためのもので、人が力を加えればドアを開くことができるので、例えば引っ越しの際に好適に採用される使用態様である。この閉扉でかつ無施錠の状態は、図１４（Ｂ）に示される通り、デッドボルト１０（２０）がデッドストライク１１（２１）から離脱し、ラッチボルト３０がストライク本体３１ｃに係止された状態である。
【００７８】
ラッチボルト３０がストライク本体３１ｃに係止された状態から、操作者が戸体３を室外から引くか、室内から押す（ステップ２０１）と、図１２（Ｃ）に示すように、ラッチボルト３０がストライク本体３１ｃを押し（ステップ２０２）、ストライク本体３１ｃを回動させて係合を解き（ステップ２０３）、戸体３を開くことができる（ステップ２０４）。
【００７９】
その後、図１２（Ｄ）で示すように、スプリング３１ｄの力によりストライク本体３１ｃが回動してストライク本体３１ｃが元の位置、すなわちストッパ３１ｅに当接した位置に戻る（ステップ２０５）。操作者が室内に入るかあるいは室外に出た後、不図示のドアクローザーにより戸体３が閉じる（ステップ２０６）。ドアクローザーはスプリング等の力により戸体３を自動的に閉じる装置である。戸体３が閉じることにより、ストライク本体３１ｃがラッチボルト３０に係合する（ステップ２０７）。同時に、開閉センサ８８は戸体３が閉じていることを検知し（ステップ２０８）、閉扉でかつ無施錠の元の状態に戻る（ステップ２０９）。
【００８０】
図２０は、第１のモード選択スイッチ８９Ａによりラッチ電動モードであり、第２のモード選択スイッチ８９Ｂによりオートロック機能をオフとした非オートロックモードにある場合に、戸体３を開閉する操作者が外出するに当たり、電動式操作装置１０２により戸体３を開く際の操作及び動作を示す。
【００８１】
図２０に示すように、外出に当たり、操作者がリモコン１１０のスイッチ１１１を操作することにより、送信部１１３からＩＤ信号を含んだリモコン信号を認証用入力部９６に送る。認証用入力部９６は受信したＩＤ信号からＩＤ番号を取得し（ステップ３００）、認証用判定部９８は、読み取られたＩＤ番号と、既得のＩＤ番号とを照合し（ステップ３０１）、認証（ステップ３０２）に成功しなかった場合は、制御部８３Ａはその認証結果により、モータ駆動部８３Ｂは起動せず、電動モータ８６は不動作のままとなる。
【００８２】
認証（ステップ３０２）に成功した場合、室内側施解錠スイッチ９４が解錠側に操作される（ステップ３０３）ことにより、制御部８３Ａは、施解錠スイッチ９４の信号を解錠のための信号として受け（ステップ３０４）、モータ駆動部８３Ｂを起動し、図６において、電動モータ８６をピニオン８７が矢印９０の方向、すなわち解錠方向に回動するように駆動する。これにより、伝達機構１０１に含まれる第２の伝達部材２６と第１の伝達部材２４とが、図６の矢印７７に示すように下方へ動かされ、ピニオン５５が矢印７６に示す方向に回動される。そして、図５に示した鍵孔５１ａ（レバー５８）の位置が、図１３に示した第３の操作位置Ｓ３になるまでピニオン５５が回動する。同時に、伝達機構１０１に含まれる第１の伝達部材１４と第２の伝達部材１６とが、図６の矢印７６に示すように上方へ動かされる。これにより、ロック機構部６及び７における解錠と、ラッチ機構部８におけるラッチボルト３０がラッチストライク３１と係止しなくなる方向に移動して係止が解除されるラッチ解除がなされる（ステップ３０５）。
【００８３】
このように、ロック及びラッチを解除した状態において、操作者が戸体３を押し（ステップ３０６）、戸体３が開くと、開閉センサ８８は戸体３が開いたことを検知する（ステップ３０７）。制御部８３Ａはその検知信号を受け、モータ駆動部８３Ｂを起動して駆動ユニット８２の電動モータ８６を駆動し、鍵孔５１ａ（レバー５８）の操作位置が図１３の第２の操作位置Ｓ２になるまで戻す。これにより、図１２（Ｂ）で示したように、ラッチボルト３０はスプリング３７の力によりラッチ位置、すなわちストライク本体３１ｃを係止できる位置まで復帰する（ステップ３０８）。操作者が室外側に出て戸体３を閉じる方向に押すか、あるいは不図示のドアクローザーにより戸体３が閉じる（ステップ３０９）と、開閉センサ８８は戸体３が閉じたことを検知する（ステップ３１０）。
【００８４】
その後、操作者がリモコン１１０のリモコンスイッチ１１１を操作し、ＩＤ信号を含んだリモコン信号を認証用入力部９６に送り、そのＩＤ信号からＩＤ番号を認証用入力部９６で取得すると（ステップ３１１）、認証用判定部９８はそのＩＤ番号を既得のＩＤ番号と照合し（ステップ３１２）、認証（ステップ３１３）に成功しなかった場合はモータ駆動部８３Ｂは新たな信号を送信しない。
【００８５】
認証（ステップ３１３）に成功した場合、操作者が室外側施解錠スイッチ９１を施錠側に操作する（ステップ３１４）と、施解錠スイッチ９１からの信号は施錠要求信号となり（ステップ３１５）、制御部８３Ａはモータ駆動部８３Ｂを起動し、電動モータ８６を施錠方向に駆動し、図５に示した鍵孔５１ａ（レバー５８）の位置が、図１３に示した第１の操作位置Ｓ１になるまで操作する。これにより、ロック機構部６及び７における施錠がなされる（ステップ３１６）。
【００８６】
ここまでＩＤ番号を用いて認証を行ない、かつオートロック機能をオフとした場合に、電動式操作装置を用いて、外出時に戸体を開いてから戸体を閉じて施錠するまでのフローについて図２０を用いて説明したが、この場合について図３３において、施解錠スイッチ９１及び９４、リモコン１１０、コントロールユニット８３、電動モータ８６及び開閉センサ８８の各要素のやりとりと動作を時系列で示す。
【００８７】
この図３３は、解錠の際にリモコン１１０のリモコンスイッチ１１１が操作され（ステップ１３００）ＩＤ信号がコントロールユニット８３に送信されるところから開始している。また、この解錠の際にコントロールユニット８３においてＩＤによる認証が成功する（ステップ３０２Ｘ）とともに、施錠の際もリモコン１１０のリモコンスイッチ１１１の操作をし（ステップ１３０４）、認証が成功するケースについて説明している。施解錠スイッチ９１及び９４は、表現上一つの要素のように記載しているが、それぞれ別のスイッチであることは前述のとおりである。この図３３において図２０のステップに相当するステップは、アルファベットのXを付して説明を省略する。なお、図２０のステップ３０４は、制御部８３Ａがモータ駆動部８３Ｂへ送信する「解錠要求信号送信」と表現したが、図３３のステップ３０４Ｘの電動モータ制御におけるコントロールユニット８３と電動モータ８６とのやり取りについては「電動モータ駆動電流」という語を使用している。これはステップ１３０２とステップ１３０３の電動モータ制御においても同様である。ステップ３０５Ｘについても、電動モータ８６の動作であるため「第３の操作位置まで駆動」という表現を用いているが、図２０におけるステップ３０５の解錠及びラッチ解除に相当する。（ステップ３０８Ｘ及び３１６Ｘも同様である。）
【００８８】
図２１は、第１のモード選択スイッチ８９Ａによりラッチ電動モードであり、第２のモード選択スイッチ８９Ｂによりオートロック機能をオンとしたオートロックモードにある場合に、操作者が外出するに当たり、電動式操作装置１０２により戸体３を開く際の操作及び動作を示す。図２１において、リモコンＩＤ取得（ステップ４００）から閉扉検知（ステップ４１０）までの操作及び動作は、図２０の流れと同じである。操作者が室外に出てさらに戸体３が閉じて開閉センサ８８は戸体３が閉じたことを検知（ステップ４１０）すると、制御部８３Ａは、モード選択スイッチ８９Ｂの状態を参照する。この場合、モード選択スイッチ８９Ｂは、オートロック機能を発揮するようなオン状態となっているので、制御部８３Ａは戸体３が閉じたことにより、施錠するための信号をモータ駆動部８３Ｂに送り、モータ駆動部８３Ｂは駆動電流を電動モータ８６に流して電動モータ８６を施錠方向に駆動する。これにより、鍵孔５１ａの位置が図１３の操作位置Ｓ１となる位置まで電動モータ８６が操作され、自動施錠される（ステップ４１１）。
【００８９】
図２２は、第１のモード選択スイッチ８９Ａによりラッチ電動モードであり、第２のモード選択スイッチ８９Ｂによりオートロック機能をオフとした非オートロックモードにある場合に、操作者が帰宅時に電動式操作装置１０２により戸体３を開く際の動作、操作を示す。帰宅に当たり、操作者がリモートコントロール装置の送信器を操作することにより、ＩＤ信号を認証用入力部９６に送る。認証用入力部９６はＩＤ番号を取得し（ステップ５００）、認証用判定部９８は取得しＩＤ番号と、既得のＩＤ番号とを照合し（ステップ５０１）、認証（ステップ５０２）に成功しなかった場合は、制御部８３Ａはその判定結果により、モータ駆動部８３Ｂは起動せず、電動モータ８６は不動作のままとなる。
【００９０】
認証（ステップ５０２）に成功した場合、室外側施解錠スイッチ９１が解錠側に操作される（ステップ５０３）ことにより、制御部８３Ａは施解錠スイッチ９１からの解錠をするための信号を受け（ステップ５０４）、モータ駆動部８３Ｂを起動し、電動モータ８６を解錠方向に駆動する。これにより、図６において、ピニオン８７が矢印９０の方向に回動され、伝達機構１０１に含まれる第２の伝達部材２６と第１の伝達部材２４とが、図５の矢印７７の方向へ動かされ、ピニオン５５が矢印７５の方向に回動される。そして、図５に示した鍵孔５１ａ（レバー５８）の位置が、図１３に示した第３の操作位置Ｓ３になるまでピニオン５５が回動する。同時に、伝達機構１０１に含まれる第１の伝達部材１４と第２の伝達部材１６とが、図５の矢印７７に示す方向へ動かされる。これにより、ロック機構部６及び７における解錠と、ラッチ機構部８におけるラッチ解除がなされる（ステップ５０５）。
【００９１】
このように、ロック及びラッチを解除した状態において、操作者が戸体３を引き（ステップ５０６）、戸体３が開くと、開閉センサ８８は戸体３が開いたことを検知する（ステップ５０７）。制御部８３Ａはその検知信号を受け、モータ駆動部８３Ｂを起動して電動モータ８６を施錠方向に駆動し、鍵孔５１ａ（レバー５８）が図１３の第２の操作位置Ｓ２になるまで戻す。これにより、図１２（Ｂ）で示したように、ラッチボルト３０はスプリング３７の力によりラッチ位置、すなわちストライク本体３１ｃを係止できる位置まで復帰する（ステップ５０８）。操作者が入室した後、戸体３が閉じる（ステップ５０９）と、開閉センサ８８は戸体３が閉じたことを検知する（ステップ５１０）。
【００９２】
その後、操作者がリモートコントロール装置の送信器を操作し、ＩＤ信号を認証用入力部９６に送り、認証用入力部９６でＩＤ番号を取得すると（ステップ５１１）、認証用判定部９８はそのＩＤ信号を既得のＩＤ番号と照合して判定し（ステップ５１２）、認証（ステップ５１３）に成功しなかった場合はモータ駆動部８３Ｂは起動しない。この場合はサムターン５７により施錠する必要がある。
【００９３】
認証（ステップ５１３）に成功した場合、操作者が室内側施解錠スイッチ９４を施錠側に操作する（ステップ５１４）と、施解錠スイッチ９４からの信号は施錠要求信号となり（ステップ５１５）、制御部８３Ａはモータ駆動部８３Ｂを起動し、電動モータ８６を施錠方向に駆動し、図５に示した鍵孔５１ａ（レバー５８）の位置が、図１３に示した第１の操作位置Ｓ１になるまで操作する。これにより、ロック機構部６及び７における施錠がなされる（ステップ５１６）。
【００９４】
図２３は、第１のモード選択スイッチ８９Ａによりラッチ電動モードであり、第２のモード選択スイッチ８９Ｂによりオートロック機能をオンとしたオートロックモードにある場合に、操作者が帰宅した際に、電動式操作装置１０２により戸体３を開く際の操作及び動作を示す。図２３において、リモコンＩＤ取得（ステップ６００）から閉扉検知（ステップ６１０）までの動作、操作は、図２２の流れと同じである。操作者が室内に入り、開閉センサ８８が戸体３が閉じたことを検知した（ステップ６１０）後、制御部８３Ａは、モード選択スイッチ８９Ｂの状態を参照する。この場合、モード選択スイッチ８９Ｂは、オートロック機能を発揮する接続状態となっているので、制御部８３Ａは、モータ駆動部８３Ｂを起動し、電動モータ８６を施錠方向に駆動する。これにより、鍵孔５１ａの位置が図１３の操作位置Ｓ１となる位置まで操作され、自動施錠される（ステップ６１１）。
【００９５】
なお、図１８に示す例においては、リモートコントロール装置の送信器はＩＤ信号のみを認証用入力部９６に送ることとしたが、後述の図３１に示す通り、解錠用スイッチ１１１Ａおよび施錠用スイッチ１１１Ｂを設けて、これらのうちのいずれかのスイッチが操作されると、ＩＤ出力部１１２は、認証用のＩＤ番号のみではなく、施錠をするための信号又は解錠をするための信号を送信部１１３から送るようにしてもよい。
【００９６】
また、図２０及び図２１で示す外出時において、ＩＤ番号の照合による認証を行なうこととしたが、この処理（図２０のステップ３００〜３０２及び３１１〜３１３と、図２１のステップ４００〜４０２）は必ずしも必要ではない。また、図２２に示す帰宅時において、入室後の認証（ステップ５１１〜５１３）も必ずしも必要ではない。
【００９７】
＜生体認証を用いた電動操作装置＞
次に認証を生体認証により行なう場合について説明する。生体認証には顔認証、指紋認証及び声紋認証等があるがここでは顔認証に例を取って説明を行なう。図２４は生体認証を行なう場合の構成を示すブロック図である。図２４に示すように、生体認証を行なう場合は、室外側から入室する場合の認証のみを行なうので、認証部８３Ｄは、袖４の室外側の面に設けられた認証用入力部９６Ｘと、認証用判定部９７Ｘとにより構成される。また、入力装置である読取装置として室外側を撮影するためにカメラ９９が設けられ、ドアを解錠しようとする人間の顔の画像を入力し、認証用入力部９６Ｘに送信する。
【００９８】
図２５及び図２６は、図２４に示したように、生体認証を行なうコントロールユニット８３を用いる場合、電動式操作装置１０２により戸体３を開閉する際の操作及び動作を示す。図２５及び図２６のうち、図２５は、第１のモード選択スイッチ８９Ａによりラッチ電動モードであり、第２のモード選択スイッチ８９Ｂによりオートロック機能をオフとした非オートロックモードにある場合に、操作者が外出する際の操作及び動作を示す。この場合、外出する場合の操作及び動作は、認証を行なわない点が図２０の場合と異なる。すなわち図２５におけるステップ７００〜７１０に示す操作及び動作は、図２０に示した場合における認証に係わる操作及び動作（図２０のステップ３００、３０１、３０２、３１１、３１２及び３１３）を省いたものとなるので、重複する説明を省略する。
【００９９】
図２６は、生体認証を行なう場合について、第１のモード選択スイッチ８９Ａによりラッチ電動モードであり、第２のモード選択スイッチ８９Ｂによりオートロック機能をオフとした非オートロックモードにある場合に、操作者が外出する際の操作及び動作を示す。この外出する場合の操作及び動作は、認証を行なわない点が図２１の場合と異なる。すなわち図２６におけるステップ８００〜８０８に示す操作及び動作は、図２１に示した場合における認証に係わる操作及び動作（図２１のステップ４００〜４０３）を省いたもののみとなるので、重複する説明を省略する。
【０１００】
図２７は、生体認証を行ない、かつ第１のモード選択スイッチ８９Ａによりラッチ電動モードであり、第２のモード選択スイッチ８９Ｂによりオートロック機能をオフとした非オートロックモードにある場合に、操作者が帰宅した際に、電動式操作装置１０２により戸体３を開く際の操作及び動作を示す。この場合は、カメラ９９がドアの前の人を検知すると、顔画像を取得して（ステップ９００）、その顔画像を認証用入力部９６に送信する。認証用入力部９６に入力された顔画像は認証用判定部９８において、取得された顔画像が予め登録された人物の画像であるかを照合する（ステップ９０１）。この図２７の場合と図２２の場合との相違点の第１は、認証動作を、図２２の場合のＩＤ番号による認証の代わりに、生体としての顔画像取得（ステップ９００）し登録画像と照合する（ステップ９０１）点である。相違点の第２は、認証（ステップ９０２）に成功すると、制御部８３Ａはモータ駆動部８３Ｂに自動的に解錠をするための信号（解錠要求信号）を送信し（ステップ９０３）、施解錠スイッチ９１の操作を要しないことである。ただし施解錠スイッチ９１の操作をして解錠するようにしてもよい。相違点の第３は、入室後は認証を行なわないことである。図２７におけるステップ９０３〜９１２における他の操作及び動作は、図２２の場合と同じである。このため、重複する説明を省略する。
【０１０１】
図２８は、生体認証を行ない、第１のモード選択スイッチ８９Ａによりラッチ電動モードであり、第２のモード選択スイッチ８９Ｂによりオートロック機能をオンとしたオートロックモードにある場合に、操作者が帰宅した際に、電動式操作装置１０２により戸体３を開く際の操作及び動作を示す。この場合、図２３の場合との相違点の第１は、認証動作を、図２３の場合のＩＤ番号による認証の代わりに、生体としての顔画像取得（ステップ１０００）し登録画像と照合する（ステップ１００１）ことである。相違点の第２は、認証（ステップ１００２）に成功すると、制御部８３Ａはモータ駆動部８３Ｂに自動的に解錠要求信号を送信する（ステップ１００３）点である。ただし施解錠スイッチ９１の操作をして解錠するようにしてもよい。図２８のステップ１００３〜１０１０における他の操作及び動作は、図２３の場合と同じである。このため、重複する説明を省略する。
【０１０２】
以上に説明したように、本実施形態のドアは、ラッチ状態であっても、図１２（Ｃ）及び（Ｄ）で説明したように、戸体３に開く方向の力を加えることにより、戸体３を開くことができる構成を有する。これにより、前述のように、戸体３のロック状態から戸体３を開く際には、サムターン５７によるロック解除を行なう操作と、戸体を押す（又は引く）操作という２段階操作ですみ、開き操作が簡単となる。また、手動で手動式操作装置１００を操作する場合においてロック機構部６及び７によるロックを解除する操作以外に、ラッチ解除のための操作が不要となり、ラッチ解除専用のハンドルや操作レバーが不要となるため、デザインの自由度が上がり、ドアのノイズレスデザインの実現が容易となる。また、人が手によって持つハンドル等の部品又は部分を戸体に設ける場合であっても、ラッチ錠ケース位置によって制約されずに配置できるため、様々な位置に様々な材質、サイズ及び形状のハンドル等の部品又は部分を設けることが可能となり、戸体のデザインの自由度を向上させることができる。
【０１０３】
ロック機構部６及び７が非ロック状態であって、ラッチ機構部８がラッチされている状態でドアを開閉する場合には、例えば引っ越しの際等のように、頻繁に戸体３を開閉する必要がありながら、戸体３を風などの意図しない要因で開かないように仮止めしておく必要がある場合に、特に有用な使用態様である。しかしながら、このようなラッチボルト３０がストライク本体３１ｃに係止された状態から手の力によって戸体３を開閉する場合には、図１２（Ｃ）に示したように、スプリング３１ｄ等の付勢手段に抗して戸体３を開くため、ある程度の力が必要となる。また、図１２（Ｃ）の状態から（Ｄ）にストライク本体３１ｃが復帰した際に、ストライク本体３１ｃがストッパ３１ｅに当接すること等により、音が発生しやすくなる。
【０１０４】
一方、本実施形態で付加した電動式操作装置１０２の操作によって、電動モータ８６でラッチ解除を行なった状態で戸体３を開閉することが可能となるので、通常の開閉においては、電動式操作装置１０２を用いることにより、戸体３を開く際の労力が低減され、操作性が向上すると共に、開閉に伴う騒音も低減される。
【０１０５】
＜ラッチ非電動モード＞
図２９は、リモコンを使用する場合であって、第１のモード選択スイッチ８９Ａによりラッチ非電動モードであり、第２のモード選択スイッチ８９Ｂによりオートロック機能をオフとした非オートロックモードにある場合に、戸体３を開閉する操作者が外出するに当たり、電動式操作装置１０２により戸体３を開く際の操作及び動作を示す。
【０１０６】
この場合においては、解錠要求信号送信（ステップ１１０４）を制御部８３Ａが受けたとき、コントロールユニット８３の信号でモータ８６により図１３の第２の操作位置Ｓ２まで第２の伝達部材１６等を移動させるため、ロック機構部６及び７は解錠され、ラッチボルトは移動せずにラッチ状態を維持（非解除）する（ステップ１１０５）。ドアが押されると（ステップ１１０６）、図１２（Ａ）から（Ｄ）において説明したように、ラッチボルト３０がストライク本体３１ｃを押し、ラッチストライク本体３１ｃが動き、ラッチが解除される。図２０のステップ３０８のラッチの復帰はなく、ドアが閉まったら開閉センサ８８により閉扉が検知される（ステップ１１１０）その他は図２０と同様である
【０１０７】
図３０は、リモコンを使用する場合であって、第１のモード選択スイッチ８９Ａによりラッチ非電動モードであり、第２のモード選択スイッチ８９Ｂによりオートロック機能をオンとしたオートロックモードにある場合に、操作者が外出するに当たり、電動式操作装置１０２により戸体３を開く際の操作及び動作を示す。図２９と同様、解錠要求信号送信（ステップ１２０４）を制御部８３Ａが受けたとき、ロック機構部６及び７は解錠され、ラッチボルト３０は移動せずにラッチ状態を維持する（ステップ１２０５）。ドアが押されると（ステップ１２０６）、図１２（Ａ）から（Ｄ）において説明したように、ラッチボルト３０がストライク本体３１ｃを押し、ラッチストライク本体３１ｃが動き、ラッチが解除される（１１０７）。図２０のステップ３０８のラッチの復帰はなく、ドアが閉まったら開閉センサ８８により閉扉が検知される（ステップ１１１０）。その他は図２１と同様である。なお、図２９及び図３０で示したラッチ非電動モードとした場合において、帰宅する場合のフローは省略する。
【０１０８】
＜リモコンに施錠及び解錠スイッチが備えられる形態＞
リモコンを使用する場合の構成を示すブロックを図１８に示したが、図３１にように、リモコンに解錠のためのスイッチ１１１A及び施錠のためのスイッチ１１１Bを設けてもよい。このようにスイッチ１１１Ａ及び１１１Ｂを設ければ室外側施解錠スイッチ９１及び室内側施解錠スイッチ９４の両方を設けずに、解施錠の操作をリモコン１１０からのみで行う構成としてもよい。また、室外側からのみリモコン１１０だけで施解錠を操作することとしてもよく、その場合は、図３１のとおり図１８における室外側施解錠スイッチ９１を省略して、入力装置をリモコン１１０及び室内側施解錠スイッチ９４のみとしてもよい。
【０１０９】
＜ＩＣカード認証形式の電動式操作装置＞
上記リモコンを使用してＩＤ番号を確認する実施形態を示したが、ＩＤの認証について、ＩＣカード（ＩＣチップ）を用いて、入力装置の読取装置としてＩＣカード（ＩＣチップ）リーダとする電動式操作装置とする形態を採用してもよい。その場合図２４の認証用入力部９６がＩＣカード（ＩＣチップ）リーダである。またこの実施形態において、フローは図２１から図２３のリモコンＩＤ取得（ステップ３００及び３１１等）がＩＣカード（ＩＣチップ）によるＩＤ取得に置き換わったものと同じである。
【０１１０】
＜縦枠にデッドボルト及びラッチボルト等が備えられている形態＞
図３２は本発明の別の実施形態として、戸先側縦枠２ｘの幅を拡大して、この戸先側縦枠２ｘにラッチ機構部８及び７のデッドボルト１０及び２０、ラッチ機構部８のラッチボルト３０を設けると共に、駆動ユニット８２及びコントロールユニット８３も戸先側縦枠２ｘに設けたものである。
【０１１１】
上記各実施形態のように、各デッドボルト１０及び２０、並びにラッチボルト３０、さらには駆動ユニット８２及びコントロールユニット８３を戸先側縦枠２ｘまたは袖４に設ければ、戸体３に電気配線を設けることが不要となる。このため、枠体２と戸体３との電気的接続を行なうための部品点数が抑えられ、製造コストを抑えることができる。
【０１１２】
即ち、戸体３は蝶番５を介して動く部材であるため、その戸体３の内部に電気配線を施そうとすると、蝶番５を通電可能な部品とするか、戸体３に非接触型充電機器を備える必要があるが、上記実施形態においては、そのような部品が不要となる。また、電動モータ８６を使用する場合であっても、戸体３には電動モータを設けないため、電動モータ使用の建具と非使用の建具の間で戸体のパーツの共用が可能となり、製造コストを抑えることが可能になる。
【０１１３】
また、図１ないし図３に示したように、各デッドボルト１０及び２０、並びにラッチボルト３０を袖４側に設けることにより、建具をバージョンアップやグレードアップする場合に、枠体２を交換せずに、袖４及び戸体３だけを交換することが可能になるため、それらの導入コストを抑えることが可能になる。
【０１１４】
また、電動モータ８６を、サムターン５７等の操作部に加えて備えることにより、１台の電動モータ８６で複数のロック機構を動かすことができ、部品点数を省略することができる。また、複数の電動モータを用いるよりも配線を簡素化し、製造時の工数を減らすことができる。
【０１１５】
以上本発明を実施形態により説明したが、本発明を実施する場合、ロック機構部を３箇所にする等の変更を行なうことができる。また、ロック機構部６及び７並びにラッチ機構部８を駆動する構造としては、リンク式、カム式等、他の動力伝達機構を用いることができる。その他、本発明の具体的実施に当たっては、上記説明に限られず、種々の変更、付加が可能である。
【符号の説明】
【０１１６】
１：建具（ドア）
２：枠体
３：戸体
４：袖
６、７：ロック機構部
８：ラッチ機構部
１０、２０：デッドボルト
１１、２１、３１：ストライク
１２、２２：デッド錠ケース
１４、２４：第１の伝達部材（伝達部材）
１６、２６：第２の伝達部材（伝達部材）
２６ｂ：歯列
３０：ラッチボルト
３１ｃ:ストライク本体（受け部材）
３１ｄ：スプリング
３２：ラッチ錠ケース
５０：シリンダユニット
５３：鍵
５４：センター軸
８２：駆動ユニット
８３：コントロールユニット
８６：電動モータ
８７：ピニオン
８８：開閉センサ
８９：モード選択スイッチユニット（モード選択装置）
８９Ａ：第１のモード選択スイッチ（ラッチ動作モード選択スイッチ）
８９Ｂ：第２のモード選択スイッチ（オートロック選択スイッチ）
１００：手動式操作装置
１０１：伝達機構
１０２：電動式操作装置
【図１】
2020056151.tif 000003
【図２】
2020056151.tif 000004
【図３】
2020056151.tif 000005
【図４】
2020056151.tif 000006
【図５】
2020056151.tif 000007
【図６】
2020056151.tif 000008
【図７】
2020056151.tif 000009
【図８】
2020056151.tif 000010
【図９】
2020056151.tif 000011
【図１０】
2020056151.tif 000012
【図１１】
2020056151.tif 000013
【図１３】
2020056151.tif 000014
【図１２】
2020056151.tif 000015
【図１４】
2020056151.tif 000016
【図１５】
2020056151.tif 000017
【図１６】
2020056151.tif 000018
【図１７】
2020056151.tif 000019
【図１８】
2020056151.tif 000020
【図１９】
2020056151.tif 000021
【図２０】
2020056151.tif 000022
【図２１】
2020056151.tif 000023
【図２２】
2020056151.tif 000024
【図２３】
2020056151.tif 000025
【図２４】
2020056151.tif 000026
【図２５】
2020056151.tif 000027
【図２６】
2020056151.tif 000028
【図２７】
2020056151.tif 000029
【図２８】
2020056151.tif 000030
【図２９】
2020056151.tif 000031
【図３０】
2020056151.tif 000032
【図３１】
2020056151.tif 000033
【図３２】
2020056151.tif 000034
【図３３】
2020056151.tif 000035